(57)【特許請求の範囲】
【請求項１】
天井板に設けられた換気用の開口部と、該天井板の上面側に設置され、一端が給水本管に接続された樹脂管と、該樹脂管の他端に取り付けられ、前記天井板に形成された取付穴から突出して設けられているスプリンクラヘッドと、前記天井板の下面側に設けられる火災感知器と、前記天井板の上面側に設けられ、天井裏側へ吹き出し又は該天井裏から吸い込むことで、前記換気用の開口部を介して室内に連通する換気手段と、を備え、該換気手段が、通常、室内の空気を吸い込み外部に排出する換気通常動作を行うスプリンクラ消火設備であって；
前記火災感知器が火災を感知した時に、前記換気手段を室内に空気を吹き出す換気非常時動作に切り替え、かつ、前記スプリンクラヘッドが開き、消火用水が放出されると、前記換気手段を前記換気通常動作に切り替える制御手段を設け、
前記換気手段は、火災時、前記スプリンクラヘッドが動作するまでは、前記天井裏側を加圧することを特徴とするスプリンクラ消火設備。
【請求項２】
前記給水本管の基端側に流水検知装置を設け、前記制御手段は前記火災感知器が火災を感知した時に、前記換気手段の該ファンを逆回転させ、前記流水検知装置が動作した時に、該ファンを正回転させることを特徴とする請求項１記載のスプリンクラ消火設備。
【発明の詳細な説明】
【０００１】
【発明の属する技術分野】
この発明は、スプリンクラ消火設備に関するものであり、更に述べると、火災時に、火炎や熱気流が換気用の開口部を通って天井裏に流入しないようにしたスプリンクラ消火設備である。
【０００２】
【従来の技術】
近年、高層ビルなどでは、システム天井が用いられている。このシステム天井は所定間隔で設置した軽量天井材を吊り金具により天井スラブに吊り下げ、これら軽量天井材の間に天井面材を係止させて天井張りを行い、天井を構築するものである。
【０００３】
このシステム天井において、軽量天井材はＴバー、即ち、断面Ｔ字状のバー、からなり、かつ、場所によってはＴバー間の間隔を狭めて照明器具を設置できる様に、一対のＴバーを併設して構成されている。この一対のＴバーはＴバーのフランジの一方で天井面材や照明器具を支持すると共に、フランジの他方が突き合わせ状態で配置され、これらつき合わせたフランジの端部間には、通常２５mm程度の換気用の開口部、即ち、スリットが形成され、このスリットから室内の空気が吸い込まれ、排気するようになっている。
【０００４】
従来のスプリング消火設備は、このシステム天井に設けられ、天井面材の上方に設置され、一端が給水本管に接続された金属製の巻き出し管と、該巻き出し管の他端に取り付けられ、前記天井面材に形成した取付穴から突出して設けられるスプリンクラヘッドと、前記天井面材の上面側に設けられる換気手段と、前記天井面材とほぼ同一平面に設けられ、前記換気手段によって室内の空気の出し入れがなされる換気用の開口部としてのスリットと、を備えている。
【０００５】
【発明が解決しようとする課題】
近年、巻き出し管に樹脂製の配管（以下樹脂管という）を使用することが考えられている。この場合、樹脂管がスリットの上を通って配設され、スリット近傍で火災が発生すると、このスリットから火災あるいは高温の熱気流が吸引され、該樹脂管が直接火災にさらされ、あるいは、熱気流により加熱される。そうすると、該樹脂管は破裂或いは燃焼して消火用水が漏れるばかりでなく、スプリンクラヘッドに消火用水を供給できなくなるものと考えられる。
又、前記火災あるいは熱気流が天井裏に流入すると、天井裏の消火設備機器等が加熱されて破損したり、燃焼したりすることがある。
【０００６】
本発明は、上記事情に鑑み、天井裏の樹脂管その他の消火設備機器等の破損を防止することを目的とする。
【０００７】
【課題を解決するための手段】
この発明は、天井板に設けられた換気用の開口部と、該天井板の上面側に設置され、一端が給水本管に接続された樹脂管と、該樹脂管の他端に取り付けられ、前記天井板に形成された取付穴から突出して設けられているスプリンクラヘッドと、前記天井板の下面側に設けられる火災感知器と、前記天井板の上面側に設けられ、天井裏側へ吹き出し又は該天井裏から吸い込むことで、前記換気用の開口部を介して室内に連通する換気手段と、を備え、該換気手段が、通常、室内の空気を吸い込み外部に排出する換気通常動作を行うスプリンクラ消火設備であって；  前記火災感知器が火災を感知した時に、前記換気手段を室内に空気を吹き出す換気非常時動作に切り替え、かつ、前記スプリンクラヘッドが開き、消火用水が放出されると、前記換気手段を前記換気通常動作に切り替える制御手段を設け、前記換気手段は、火災時、前記スプリンクラヘッドが動作するまでは、前記天井裏側を加圧することを特徴とする。
【０００８】
この発明は、前記給水本管の基端側に流水検知装置を設け、前記制御手段は前記火災感知器が火災を感知した時に、前記換気手段のファンを逆回転させ、前記流水検知装置が動作した時に、該ファンを正回転させることを特徴とする。
【０００９】
【発明の実施の形態】
本発明者は、本発明の目的を達成するには、火災時に室内の空気が換気用の開口部を通って室外に流出しない様にすれば良いことに気がついた。
そこで、天井裏にシール手段、例えば、エアシール手段を設け、火災時に該エアシール手段を用いて前記開口部を換気閉鎖することにした。
このエアシール手段として、既存のスプリンクラ消火設備の換気手段を用いる場合には、換気手段の換気通常時動作と換気非常時動作とを切り換える制御手段を設ける。
【００１０】
又、シール手段として、この換気手段を利用せずに、新たにエアシール用の送気手段を設けても良い。この送気手段を運転する時には、換気手段の運転を停止させる。
【００１１】
この換気通常時動作は、火災感知器が作動する迄行い、その後は換気非常時動作に切り替える。この制御手段を火災感知器に連動させ、火災感知器が火災を検出した時に換気非常時動作に切り替えてもよい。
スプリンクラヘッドの給水配管に流水検知装置を設け、該流水検知装置を前記制御手段に連結し、流水検知装置が流水検知をした時に換気通常時動作に切り替える様にしてもよい。
【００１２】
【実施例】
本発明の実施例を図１〜図５により説明する。天井スラブ１の下方には、天井面材２が張設されている。この天井面材２はＴバーの様な軽量天井材５により保持されている。天井面材２には、スプリンクラヘッド２３の取付穴２ａとスリット６とが設けられている。このスリット６は、換気用の開口部で、併設された一対の軽量天井材５ａ、５ｂの間に形成されている。
【００１３】
この天井面材２の上面側には吊り金具により固定された給水配管１１が設けられ、この給水配管１１には、流水検知装置４０と、接続口１３を有するＴ字状の分岐管１２とが配設されている。前記流水検知装置４０は、制御盤４５に接続されている。該接続口１３は接続管１７を介してヘッダ１４の接続口１５に接続されている。このヘッダ１４には複数の排出口１６ａ〜１６ｃが設けられている。
【００１４】
エルボ２１の両端部には接続口２２ａ、２２ｂが設けられ、このエルボ２１は固定金具８によりチャンネル７に固定されている。
【００１５】
このエルボ２１の接続口２２ａには、樹脂管３１の一端の継手部３２が接続され、その他端の継手部３２はヘッダ１４の排出口１６ａが接続されている。なお、この樹脂管３１は、例えば、蛇腹状又はスパイラル状のさや管内に収容して二重構造にしてもよい。
【００１６】
樹脂管３１はスリット６を横切って配設されており、該スリット６に対応する部分にはＴバー５ａ、５ｂが設けられている。
【００１７】
天井面材２の上面側には、換気手段５５が配設されている。
この換気手段５５は、並列に配設された複数の端末ダクト５６と、該端末ダクト５６に常時開のダンパ５７を介して連結されたファン５８と、該ファン５８の出口５８ａに接続された常時開のダンパ６０と、該ファン５８の出口５８ａと前記ダンパ５７の入口５７ａとを結ぶバイパス回路６２と、前記ファン５８と前記ダンパ５７との間に接続された外気導入パイプ６４と、を備えている。このバイパス回路６２及び外気導入パイプ６４には、常時閉のダンパ６５、６６が設けられている。なお、各ダンパ５７、６０、６４、６６のモータＭ及びファン５８は制御盤４５に接続されている。
【００１８】
天井面材２の下面には、火災感知器５０が設けられている。この火災感知器５０は制御盤４５に連結されている。
【００１９】
次に、本実施例の作動について説明する。
通常、制御盤４５は、換気手段５５を換気通常時動作にし、室内７０の空気７０Ａを吸い込み外部に排出する（Ｓ1）。
この時、ダンパ５７、６０は開、ダンパ６５、６６は閉であり、ファン５８の正回転により端末ダクト５６から空気７０Ａが吸い込まれ、該ダンパ５７、６０を通って屋外に排気されるので、天井裏８０は減圧されマイナスの静圧となる。
そのため、室内７０の空気７０Ａは開口部６を通って天井裏８０に流れ、端末ダクト５６に吸い込まれる。
【００２０】
火災感知器５０は常時火災を監視している（Ｓ2）。該感知器５０は火災を検出すると、火災信号を制御盤４５に送出する。
制御盤４５は換気手段５５を換気非常時動作に切り替え、ファン５８を逆回転させ（Ｓ3）、外気７０Ｂを端末ダクトに吸引し、室内７０に外気７０Ｂを吹き出す（Ｓ4）。
【００２１】
この時、ダンパ５７、６０は開、ダンパ６５、６６は閉であり、ファン５８の逆回転により、端末ダクト５６から室外の空気７０Ｂが吹き出されるので、天井裏８０が加圧されプラスの静圧となる。
そのため、天井裏８０の空気７０Ｂは開口部６を通って室内７０に流入するので、室内７０の火災や熱気流が開口部６から天井裏側に流出することはない。即ち、開口部６は火災や熱気流が流出しない様にエアシールされた状態となる。
【００２２】
スプリンクラヘッド２３が開き、消火用水が放出されると、給水配管１１内を消火用水が流れるので、流水検知装置４０が作動し、流水検知信号を制御盤４５に送出する（Ｓ5）。
【００２３】
制御盤４５は、換気通常時動作に切り替え、ファン５８を正回転させる（Ｓ6）。即ち、前記開口部６は、火災感知器５０が火災を検知した時から流水検知装置４０が流水を検出する迄の間だけエアシールされることになる。
【００２４】
なお、前記換気非常時動作の場合、ファン５８を逆回転させて室内７０に送気したが、ファン５８を正回転させ、ダンパ５７、６０を閉じ、ダンパ６５、６６を開にし、バイパス回路６２を介して室内７０に送気してもよい。
【００２５】
この発明の実施例は、上記に限定されるものではなく、例えば、換気手段と別にシール手段、例えば、エアシール手段を設けても良い。
このエアシール手段としてエアシール用の送気手段を設ける。この送気手段を用いる場合には、換気手段の運転を停止させ、前記開口部を換気閉鎖する様に、天井板に沿って送気し、エアシールを形成する。この送気手段は、前記換気手段の制御手段に連結され、該制御手段により制御される。
【００２６】
【発明の効果】
この発明は、以上の様に構成したので、次の様な効果を奏する。
(1)換気用の開口部を換気閉鎖するためのシール手段を設けたので、火災時、該シール手段により該開口部を換気閉鎖することができる。そのため、室内の火災や熱気流が天井裏に流出するのを防止することができるので、樹脂管等の消火設備機器の破損や燃焼を防止できる。
【００２７】
(2)換気手段の換気通常時動作と換気非常時動作とを切り換える制御手段を設けたので、火災時、換気手段の換気非常時動作に切り替え、開口部を介して外部の空気を室内に吹き込むことができる。そのため、室内の火災や熱気流が天井裏に流出するのを防止できるので、樹脂管等の消火設備機器の破損や燃焼を防止することができる。
【００２８】
(3)火災感知器と換気手段を制御する制御手段を設けたので、火災感知器が火災を検知すると、自動的に換気手段は室内に空気を吹き込む様に制御される。
【００２９】
(4)流水検知装置と換気手段を制御する制御手段を設けたので、スプリンクラヘッドが動作し、流水検知装置が流水を検知すると、自動的に換気手段は排気駆動に切り替え、排気を行う。
そのため、火災で発生した室内の煙を円滑に排出することができる。なお、スプリンクラヘッドが動作すれば、火災を静められるので、樹脂管の防護に支障をきたすことはない。
【図面の簡単な説明】
【図１】本発明の実施例を示す縦断面図である。
【図２】換気手段を示す図である。
【図３】換気通常時動作状態を示す図である。
【図４】換気非常時動作状態を示す図である。
【図５】換気手段のフローチャートである。
【符号の説明】
６      換気用の開口部
２３      スプリンクラヘッド
３１      樹脂管
４０      流水検知装置
４５      制御盤
５５      換気手段
７０      室内
８０      天井裏
【図１】
0004013184.tif 000002
【図２】
0004013184.tif 000003
【図３】
0004013184.tif 000004
【図４】
0004013184.tif 000005
【図５】
0004013184.tif 000006